(57)【要約】 【構成】シリンダ胴と、複数のタンブラにより前記シリンダ胴に係合可能とし且つシリンダ胴内で回転可能に配置されたロータとを有し、鍵をロータの鍵穴に挿入して各タンブラを作動させ、前記シリンダ胴と前記ロータとの係合を解除した後に前記ロータを回転させて解錠するシリンダ錠において、前記ロータに複数の鍵穴を形成するととともに各々の鍵穴に前記タンブラを設置したシリンダ錠である。【効果】  鍵を使用しないで解錠する場合、複数の鍵穴内におけるタンブラの解除とローターの回転とを同時にしなければならず、少なくとも４つの作業を必要とするものである。よって、一人の作業によって不正解錠することは極めて困難であり、ピッキングを容易に防止することができる。また、鍵穴が複数あるため、従来に比し、整数倍のタンブラを設置することができる結果、ロータの長さは従来のままで従来よりも、極めて多種の錠を製作することができる。【選択図】  図６
2005171576.tif 000002
【特許請求の範囲】
【請求項１】
シリンダ胴と、複数のタンブラにより前記シリンダ胴に係合可能とし且つシリンダ胴内で回転可能に配置されたロータとを有し、鍵をロータの鍵穴に挿入して各タンブラを作動させ、前記シリンダ胴と前記ロータとの係合を解除した後に前記ロータを回転させて解錠するシリンダ錠において、前記ロータに複数の鍵穴を形成するとともに各々の鍵穴に前記タンブラを設置したことを特徴とするシリンダ錠。
【請求項２】
請求項１のシリンダ錠において、各鍵穴における前記タンブラの前記鍵との接触位置が異なることを特徴とするシリンダ錠。
【請求項３】
請求項１のシリンダ錠において、複数の鍵穴が略平行に形成されていることを特徴とするシリンダ錠。
【請求項４】
請求項１のシリンダ錠において、複数の鍵穴の長手方向の長さが異なることを特徴とするシリンダ錠。
【請求項５】
請求項１のシリンダ錠において、前記鍵は、複数の鍵本体を唯一の把持部に突設させたものであることを特徴とするシリンダ錠。
【請求項６】
請求項５のシリンダ錠において、前記複数の鍵本体を重ねたことを特徴とするシリンダ錠。
【発明の詳細な説明】
【技術分野】
【０００１】
この発明は、シリンダ錠に関し、所定のロータの長さにおいて従来よりも多くの異なった鍵を作ることができるとともにピッキング等を困難にして不正解錠を防止するために使用されるものである。
【背景技術】
【０００２】
従来のシリンダ錠にあっては、シリンダ胴と、複数のタンブラにより前記シリンダ胴に係合可能とし且つシリンダ胴内で回転可能に配置されたロータとを備えたものであり、、鍵をロータの鍵穴に挿入して各タンブラを弾性に抗して作動させ、前記シリンダ胴と前記ロータとの係合を解除した後に前記ロータを回転させて解錠するものが一般的であった。
【０００３】
【特許文献１】特開２００２−２６６５３３
【発明の開示】
【発明が解決しようとする課題】
【０００４】
しかし、かかる従来のシリンダ錠にあっては、鍵穴が唯一であったため、鍵を使用しないで解錠する場合、鍵穴内におけるタンブラの解除とローターの回転とを一人の作業によって操作しやすく、この結果、不正に解錠するピッキング等がしやすいという不都合を有した。
【０００５】
この発明の課題はかかる不都合を解消することである。
【課題を解決するための手段】
【０００６】
前記課題を達成するために、この発明に係るシリンダ錠においては、シリンダ胴と、複数のタンブラにより前記シリンダ胴に係合可能とし且つシリンダ胴内で回転可能に配置されたロータとを有し、鍵をロータの鍵穴に挿入して各タンブラを作動させ、前記シリンダ胴と前記ロータとの係合を解除した後に前記ロータを回転させて解錠するシリンダ錠において、前記ロータに複数の鍵穴を形成するととともに各々の鍵穴に前記タンブラを設置したものである。
【０００７】
なお、各鍵穴における前記タンブラの前記鍵との接触位置が異なることを特徴とするシの前記シリンダ胴に対する係合ストロークを異なるようにすることもできる。
【０００８】
また、複数の鍵穴を略平行に形成することもできる。
【０００９】
また、複数の鍵穴の長手方向の長さを異なるようにすることもできる。
【００１０】
また、前記鍵を構成するにあたって、複数の鍵本体を唯一の把持部に突設させることもできる。
【００１１】
また、前記複数の鍵本体を重ねることもできる。
【発明の効果】
【００１２】
この発明に係るシリンダ錠は、シリンダ胴と、複数のタンブラにより前記シリンダ胴に係合可能とし且つシリンダ胴内で回転可能に配置されたロータとを有し、鍵をロータの鍵穴に挿入して各タンブラを作動させ、前記シリンダ胴と前記ロータとの係合を解除した後に前記ロータを回転させて解錠するシリンダ錠において、前記ロータに複数の鍵穴を形成するととともに各々の鍵穴に前記タンブラを設置したため、鍵を使用しないで解錠する場合、複数の鍵穴内におけるタンブラの解除とローターの回転とを同時にしなければならず、少なくとも４つの作業を必要とするものである。
【００１３】
よって、このシリンダ錠を使用すれば、一人の作業によって不正解錠することは極めて困難であるため、ピッキングを容易に防止することができる。
【００１４】
また、このシリンダ錠を使用すれば、鍵穴が複数あるため、従来に比し、整数倍のタンブラを設置することができる結果、ロータの長さを従来と同じにしたまま、従来よりも、極めて多種の錠を製作することができる。
【００１５】
なお、各鍵穴における前記タンブラの前記鍵との接触位置が異なることを特徴とするシの前記シリンダ胴に対する係合ストロークを異なるようにすれば、不正解錠するにあたって各々の鍵穴において異なった作業を必要とするため、一層、不正解錠しにくく、この結果、ピッキングの防止に更に貢献することができるものである。また、タンブラの組み合わせが複雑になるため、より一層、多種の錠を製作することができる。
【００１６】
また、複数の鍵穴を略平行に形成すれば、ロータにおけるタンブラの設置が容易になるため、ロータひいては錠の製作が容易になるものである。
【００１７】
また、複数の鍵穴の長手方向の長さを異なるようにすれば、錠におけるタンブラの形状を異なったものにでき、その組み合わせを複雑にすることができるため、より一層、多種の錠を製作することができる。
【００１８】
また、前記鍵を構成するにあたって、複数の鍵本体を唯一の把持部に突設させるようにすれば、一回の鍵操作によってこのシリンダ錠を施錠又は解錠することができ、錠の構成が複雑であるにもかかわらず、その取扱いが容易になる。
【００１９】
また、前記複数の鍵本体を重ねれば、シリンダ錠の鍵穴および隣り合うタンブラ孔や係合溝も一体的に形成することができ、シリンダ錠の製造がしやすいものである。
【発明を実施するための最良の形態】
【００２０】
この発明は、不正解錠を防止およびロータの長さはそのままで多種の錠を作成できることに特徴を有する。特に、不正に解錠するピッキング等の防止に適用しやすいものである。
【実施例１】
【００２１】
図１はこの発明に係る錠の平面図、図２は図１におけるII-II 線断面図、図３は図２におけるIII-III 線断面図、図４は図２におけるIX-IX 線断面図、図５はこの錠に使用する鍵の斜視図、図６は図２に相当する操作状態図、図７は図３に相当する操作状態図、図８は図４に相当する操作状態図、図９は他の鍵の斜視図である。
【００２２】
図１〜図４において、Ｓはシリンダ錠、10はそのシリンダ胴である。11は開口段部であり、前記シリンダ胴10の開口部内周面に形成されている。また、12,12 は係合溝であり、前記シリンダ胴10の内周面に軸方向に形成されている。この開口段部11および係合溝12の機能については後記する。
【００２３】
また、13,13 は逃がし溝であり、前記シリンダ胴10の内周面における前記係合溝12の反対側に形成されている。この逃がし溝13によって、後記タンブラ32,52 が反付勢方向に突出スライドすることができる。
【００２４】
20はロータであり、前記シリンダ10の開口部から回転可能な状態で略隙間無く内嵌めされている。このロータ20の上部フランジ21が前記シリンダ胴部11の開口段部11に係止して前記ロータ20の抜け落ちを防止している。
【００２５】
22は係止レバーであり、前記ロータ20における前記シリンダ胴10からの下方突出端に外嵌め固定されている。この係止レバー22は前記ロータ20と一体となって揺動し、係合部材（図示せず）に係合したり解放したりして、このシリンダ錠10を施錠した解錠したりする。
【００２６】
30,50 は長穴状の鍵穴であり、前記ロータ20の軸方向にそれぞれ形成されている。これらの鍵穴30,50 は前記ロータ20の軸心を中心として左右の位置に略平行に配置している。なお、前記鍵穴30,50 の長手方向の長さは同じでも異なってもよい。
【００２７】
31,31,…,51,51, …はタンブラ孔であり、前記ロータ20に形成されている。このタンブラ孔31,31,…,51,51, …のうち、31,31,…のタンブラ孔は前記鍵孔30を、51,51,…のタンブラ孔は前記鍵孔50を横切るように配置している。
【００２８】
32,32,…,52,52, …はタンブラであり、相応する前記タンブラ孔31,31,…,51,51, …にそれぞれ進退可能に嵌挿されている。これらのタンブラ32,32,…,52,52, …は相応する圧縮バネ（コイルスプリング）33,33,…,53,53, …によって、その先端をロータ20から突出させ、前記シリンダ10の前記係合溝11に弾性的に係合させている。
【００２９】
34,34,…,54,54, …は切り欠きであり、相応する前記タンブラ32,32,…,52,52, …の内側縁に形成されている。これらの切り欠き34,34,…,54,54, …は前記ロータ20の鍵孔30,50 に重なる位置に略一致している。
【００３０】
35,35,…,55,55, …は、鍵やま接触縁（本発明の「接触位置」に相当する。後記鍵やま7181の接触する縁）であり、相応する切り欠き34,34,…,54,54, …に形成されている。この鍵やま接触縁35,35,…,55,55, …は、前記圧縮バネ（コイルスプリング）33,33,…,53,53, …の反付勢方向側に形成されている。この鍵やま接触縁35,35,…,55,55, …の位置は、同じ鍵孔30，50の相応する各タンブラ32,32,…,52,52, …および別の鍵孔30,50 の各タンブラ32,32,…,52,52, …との関係において異なっている。このため、各々のタンブラ32,32,…,52,52, …を前記圧縮バネ（コイルスプリング）33,33,…,53,53, …に抗してスライドさせるための、鍵60の鍵やま71,71,…,81,81, …は各々異なっていなければならない。
【００３１】
図５において、60はこの錠10に使用する鍵であり、把持部61に鍵本体70,80 が突設されている。この鍵本体70は前記鍵穴30に嵌挿し、また、鍵本体80は前記鍵穴50に嵌挿するためのものである。このため、鍵本体70の鍵やま（凹凸形状をしている）71,71,…は、前記タンブラ32,32,…の鍵やま接触縁35,35,…に接触してこれらのタンブラ32,32,…の係合を解く方向にスライドできるように形成され、鍵本体80の鍵やま（凹凸形状をしている）81,81,…, …は、前記タンブラ52,52,…の鍵やま接触縁55,55,…に接触してこれらのタンブラ52,52,…の係合を解く方向にスライドできるように形成されている。
【００３２】
次に、図６〜図８に基づいて、前記シリンダ錠10の操作方法を説明する。
図６〜図８に示すように、施錠状態のシリンダ錠10の鍵穴30,50 に、それぞれ、前記鍵60における鍵本体70,80 を挿入する。
【００３３】
すると、鍵本体70の鍵山71,71,…と相応する前記タンブラ32,32,…の鍵やま接触縁35,35,…とのカム作用および鍵本体80の鍵山81,81,…と相応する前記タンブラ52,52,…の鍵やま接触縁55,55,…とのカム作用によって、これらの前記タンブラ32,32,…,52,52, …が相応する圧縮バネ（コイルスプリング）33,33,…,53,53, …に抗して反係合方向にスライドし、前記シリンダ胴10における係合溝12から解放される。
【００３４】
このため、ロータ20は軸心を中心として回転可能となるため、作業者は鍵60を回転させるとによってロータ20を回転し、係止レバー22を揺動させて、係合部材から解放することにより解錠することができる。
【００３５】
なお、施錠する場合には、解錠した状態で、シリンダ錠10の鍵穴30,50 に、それぞれ、前記鍵60における鍵本体70,80 を挿入する。この状態で、ロータ20は回転可能であるため、作業者は、そのまま鍵60を回転させ、前記タンブラ32,32,…52,52,…が相応する圧縮バネ（コイルスプリング）33,33,…,53,53, …によって前記シリンダ胴10における係合溝12に侵入し、係合する位置までロータ20を回転させればよい。
【００３６】
図９は鍵60の他の実施例であり、２枚の鍵本体70,80 を重ねたものである。このように、構成すると、鍵穴30,50 および隣り合うタンブラ孔31,31,…,51,51, …や係合溝12,12 も一体的に形成することができ、シリンダ錠10の製造がしやすいものである。
【産業上の利用可能性】
【００３７】
不正解錠を防止したり、ロータの長さはそのままで多種の錠を製造する際に利用できる。
【図面の簡単な説明】
【００３８】
【図１】図１はこの発明に係る錠の平面図である。
【図２】図２は図１におけるII-II 線断面図である。
【図３】図３は図２におけるIII-III 線断面図である。
【図４】図４は図２におけるIX-IX 線断面図である。
【図５】図５はこの錠に使用する鍵の斜視図である。
【図６】図６は図２に相当する操作状態図である。
【図７】図７は図３に相当する操作状態図である。
【図８】図８は図４に相当する操作状態図である。
【図９】図９は他の鍵の斜視図である。
【符号の説明】
【００３９】
Ｓ  …  シリンダ錠
10  …  シリンダ胴
20  …  ロータ
32  …  タンブラ
30  …  鍵穴
35  …  鍵やま接触縁（接触位置) 
50  …  鍵穴
52  …  タンブラ
55  …  鍵やま接触縁（接触位置) 
60  …  鍵
70  …  鍵本体
80  …  鍵本体
【図１】
2005171576.tif 000003
【図２】
2005171576.tif 000004
【図３】
2005171576.tif 000005
【図４】
2005171576.tif 000006
【図５】
2005171576.tif 000007
【図６】
2005171576.tif 000008
【図７】
2005171576.tif 000009
【図８】
2005171576.tif 000010
【図９】
2005171576.tif 000011